(57)【要約】【課題】本発明は、予め選択を注文するための方法に関する。【解決手段】特定の要求をするために、メニュー８５２０、８５２１が表示され、このメニューにおける選択が該表示に続くステップ、特に、  選択の事前注文がなされるイベントを表示し、それから該イベントの選択がなされるステップ８５２５ａと、  前記選択がプレーされるべき目的機器の識別を表示し、それからこの機器の選択がなされるステップ８５２２と、  前記目的機器上で前記選択がなされるべき日時を表示するステップ８５２３と、特定の要求が記録され且つ支払いが確認された後にのみファイル上にダウンロードされるステップ８５２９とを含むことを特徴としている。【選択図】図４
2011065189.tif 000002
【特許請求の範囲】
【請求項１】
予め選択を注文する方法であって、特定の要求をするように、メニュー（８５２０、８５２１）が表示され、メニューにおける選択が該表示に続くステップと、特に、
選択の事前注文がなされるイベントを表示し、それから該イベントの選択がなされるステップ（８５２５ａ）と、
前記選択がプレーされるべき目的機器の識別を表示し、それから該機器の選択がなされるステップ（８５２２）と、
前記目的機器上で前記選択がなされるべき日時を表示するステップ（８５２３）と、
支払いが確認された後にのみ特定の要求が記録され且つファイル上にダウンロードされるステップ（８５２９）と
を有することを特徴とする予め選択を注文する方法。
【請求項２】
前記方法は、特定のメッセージを選定しまたは保存するステップ（８５２６）を有することを特徴とする請求項１に記載の予め選択を注文する方法。
【請求項３】
前記方法は、個人的なメッセージを保存することからなるメッセージ記録ステップ（８５２６ｂ）を有することを特徴とする請求項２に記載の予め選択を注文する方法。
【請求項４】
前記方法は、複数のメッセージのうちからメッセージが選択されるステップ（８５２６ａ）を有することを特徴とする請求項２に記載の予め選択を注文する方法。
【請求項５】
全てのジュークボックスがインターネットに接続し且つサーバサイト（１００）を呼び出すステップを有することを特徴とする請求項１から４のいずれか一項に記載の予め選択を注文する方法。
【請求項６】
前記表示ステップは、選択ステップに必要な前記選択ステップを表示するように、端末（６００）へインターネットメッセージを送信することによってなされ、該選択または判定ステップは、ユーザにより、予めユーザの選択を定義すべく、ユーザの端末上で実行される動作の関数として、端末（６００）からサーバ（１００）へ送られるメッセージによりなされることを特徴とする請求項５に記載の予め選択を注文する方法。
【請求項７】
メッセージおよび要求が、目的機器（１０）のアドレスと共にホストサーバ（１００）上のファイル（１４１）上に記録され、所定の時期に目的機器にダウンロードされディスプレイ上で実行されるステップを有することを特徴とする請求項１から６のいずれか一項に記載の予め選択を注文する方法。
【請求項８】
機器（１０）上の現在の日および時が、事前要求の実行について要求された日および時に対応するかどうかを判定するように、前記記録された要求を含む各機器（１０）上の特定のファイル（８４１）を検査するステップを有することを特徴とする請求項１に記載の予め選択を注文する方法。
【請求項９】
予め選択を注文する装置であって、ジュークボックス（１０）またはサーバ（１００）は、ユーザの身近な画面上に、特定の要求の選定においてユーザを案内すべく、情報を表示する手段と、
該要求を特定のファイル（８４１、１４１）に記録する手段と、
与えられた時および日に前記要求の実行をトリガすべく、または該要求のダウンロードをトリガすべく、前記機器上に記録された前記ファイル（８４１、１４１）を定期的に検査する手段と
を具備することを特徴とする予め選択を注文する装置。
【請求項１０】
前記要求を目的機器へ遠隔的に送信する手段をも備え得ることを特徴とする請求項９に記載の予め選択を注文する装置。
【請求項１１】
前記表示手段は、必要なときにジュークボックス上のＷＩＮ．ＤＥＦコンフィギュレーションファイルにより呼び出される＊．ＤＪＯファイルに加えられるオブジェクトモジュールにより構成されていることを特徴とする請求項９または１０に記載の予め選択を注文する装置。
【請求項１２】
前記ファイル（８４０、８４１）は、ＦＩＬＯ．ＤＪＬモジュール内に保存され、そして動作に必要で且つ当該方法に用いられるプログラム変更が、異なるモジュールにダウンロードされることを特徴とする請求項９に記載の予め選択を注文する装置。
【請求項１３】
楽曲の待ちキューの実行のためのルールを定義しこれによりファイルにおける先入れ先出し（ＦＩＦＯ）と、ランダムに最もポピュラーな楽曲を最初に選択することと、同一のアーチストによる連続する２番目の楽曲を排除することとのうちの１つの基準に従って、あるいは当該ルールまたはその他のルールの組合せに基づいて、ディスクジョッキーの振る舞いを変更する手段をも備えることを特徴とする請求項９に記載の予め選択を注文する装置。
【請求項１４】
遠隔配信ネットワークを形成するディジタルシステムであって、該遠隔配信ネットワークが、第１にインターネットネットワークに接続されそして第２に第２のネットワークを介して目的ジュークボックス上に各特定の要求をロードさせるように各々識別番号またはアドレスにより識別可能な１組のジュークボックスに対して接続されるホストサーバと、各ジュークボックス上での前記特定の要求を含むファイルをローカルな時間および日が選択された時間および日に対応するときに実行させるべく走査する手段とを具備することを特徴とするディジタルシステム。
【発明の詳細な説明】
【技術分野】
【０００１】
この発明は、予め選択（selection）を注文する方法、並びに前記方法の実施のためのディジタルシステムおよびジュークボックスに関する。
【背景技術】
【０００２】
１９９８年７月２２日に提出されたフランス国特許出願第９８０９３５８号は、歌手の新しいアルバムのタイトルソングを、楽曲の配信および発売日として定義された所与の日に、あらゆる再生システムに配信するために、ジュークボックス、および１組のジュークボックスをサーバに接続するネットワークの特定の機能を記述している。しかしながら、このタイプのシステムでは、特定のジュークボックスのユーザ、またはインターネットを介して多数のジュークボックスを管理するホストサーバに接続されたユーザは、当該楽曲が所与のジュークボックスまたはいくつかの所与のジュークボックス上で演奏され得るように、楽曲（song）を選択し且つそれを注文することはできない。
【発明の概要】
【発明が解決しようとする課題】
【０００３】
この発明の第１の目的は、予め選択を注文する方法を提案することによって、この従来技術における不都合を克服することにある。
【課題を解決するための手段】
【０００４】
この目的は、予め選択を注文する方法によって達成され、前記方法は、特定の要求をするように、メニューが表示され、このメニューにおける選択がそれに続くステップと、特に、
選択の事前注文がなされるイベントを表示し、それから該イベントの選択がなされるステップと、
前記選択がなされるべき目的機器の識別を表示し、それから該機器の選択がなされるステップと、
前記目的機器上で前記選択がなされるべき日時を表示するステップと、
支払いが確認された後にのみ特定の要求が記録され且つファイル上にダウンロードされるステップと
を含むことを特徴としている。
【０００５】
他の目的は、選択の事前注文の方法を実施可能なディジタルジュークボックスを提案することにある。
【０００６】
この目的は、選択の事前注文のための装置を用いることによって達成され、ジュークボックスｄまたはサーバｄは、ユーザの身近な画面上に、特定の要求をなすためにユーザを案内すべく、情報を表示する手段と、
これらの要求を特定のファイルに保存する手段と、
所与の日および時に前記要求の実行をトリガすべく、またはそのダウンロードをトリガすべく、前記機器上に保存された前記ファイルを定期的に検査する手段と
を具備することを特徴としている。
【０００７】
最後にあたり、最終の目的は、前記方法の実施のため、オーディオビジュアルデータのための遠隔配信ネットワークを形成するディジタルシステムを提案することにある。
【０００８】
この目的は、遠隔配信ネットワークを形成するディジタルシステムによって達成され、該遠隔配信ネットワークはホストサーバを含み、該ホストサーバは、第１にインターネットネットワークに接続され、そして第２に第２のネットワークを介して１組のジュークボックスに対して接続され、各ジュークボックスは目的ジュークボックス上に各特定の要求をロードさせるために使用することができる識別番号すなわちアドレスにより識別可能であり、、また該遠隔配信ネットワークはさらに各ジュークボックス上での前記特定の要求を含むファイルをローカルな時間および日が選択された時間および日に対応するときに実行させるべく走査する手段とを具備することを特徴としている。
【０００９】
この発明のその他の特徴および利点は、添付された図面を参照して以下の説明を読んだ後により明確になる。
【図面の簡単な説明】
【００１０】
【図１】本発明を形成する機器の電気的構成の模式図を示している。
【図２】ジュークボックスに取り込まれるライブラリのモジュールとオブジェクトモジュールの間の関係を示す論理図を示している。
【図３】ユーザ、ジュークボックスおよび配信ネットワークを介して前記ジュークボックスに接続されたサーバの間の種々の対話的相互作用を図式的に表現している。
【図４】本発明による装置により用いられる方法の異なるステップを表現している。
【発明を実施するための形態】
【００１１】
好ましくは、しかし制限的にではなく、オーディオビジュアル再生システム（ジュークボックス）１０は、以下に列挙され且つ言及された機器エレメントを使用している。
【００１２】
マイクロプロセッサを有するシステムユニット１は、高パフォーマンスＰＣコンパチブルシステムであり、実施の時点では、メモリ手段を有するペンティアム（登録商標）タイプのシステムが選定され、そして例えば、以下のような特性を有する。
【００１３】
−ＶＥＳＡローカルバスに対するコンパチビリティ、
−プロセッサキャッシュメモリ：  最小２５６Ｋバイト、
−ＲＡＭメモリ：  ３２Ｍバイト
−高パフォーマンスシリアルポート、
−マイクロプロセッサ制御ＳＶＧＡタイプグラフィックアダプタ、
−ＳＣＳＩ／２タイプバスコントローラ、
−自己給電スタティックＲＡＭメモリ。
【００１４】
同等またはさらなるパフォーマンスを有する他のいかなるシステムユニットも、この発明において使用することができる。
【００１５】
このシステムユニットは、サウンド制御回路５、遠隔通信制御回路４、入力制御回路３、マスメモリ制御回路２、およびディスプレイ手段制御回路６を制御し且つ管理する。ディスプレイ手段は、主として、非インタレースのＳＶＧＡタイプフラットスクリーン、高精細度、低放射ビデオモニタ６２から構成される。これは、イメージ再生（例えば、音楽の選択のためのアルバム）に、グラフィックスおよびビデオクリップを表示するために用いられるモニタである。
【００１６】
マスメモリ手段２１、例えば、高速高容量ＳＣＳＩタイプハードディスクは、既にマイクロプロセッサ制御装置内に組み込まれたメモリ手段に関連付けられている。これらの手段は、ディジタル化され、圧縮され且つ多くの場合暗号化されたオーディオビジュアル情報の記憶装置として用いられる。
【００１７】
高速遠隔通信モデムアダプタ４１は、ホストサーバにより制御されるオーディオビジュアル情報配信ネットワークとのリンクを作成するために含められている。
【００１８】
音楽の選択におけるオーディオ情報の再生のために、該システムは、２つのメモリバッファ５６、５７を含む電子回路５に接続されたアンプチューナ５３からの信号が入力されるスピーカ５４を備えており、前記アンプチューナは、多数の入力ソースをサポートするように設計されたディジタルシグナルプロセッサ（ＤＳＰ）タイプのミュージックシンセサイザからなると共に、ＣＤ（コンパクトディスク）またはハイファイタイプのクォリティで復号され且つ復元されるディジタル信号による出力を提供する。
【００１９】
同様に、ディスプレイ手段制御回路も２つのメモリバッファ６６、６７（その目的は後に述べられる）を備えている。
【００２０】
温度調整付きの２４０ワットの換気された電源は、当該システムにエネルギを供給する。この電源は、過電流および過剰発振に対して保護されている。
【００２１】
前記オーディオビジュアル再生システムは、その入力コントローラ回路３を介して、「改良（enhanced）表面波技術」に基づくガラスコーティングパネルおよびＡＴタイプのバスコントローラを含むタッチスクリーン３３を管理している。このタッチスクリーンは、顧客による使用のための種々の選択情報、並びに管理者による使用のための制御および管理チェック情報を、ビデオモニタ６２またはテレビジョンスクリーン６１上に表示し、それから該システムの所有者が選択するためにそれを用いる。それは、該システムに接続され、インタフェース回路３を介してキーロック３２により制御されるキーボードコネクタが提供される外部キーボード３４との組合せで、保守目的のためにも使用される。
【００２２】
前記入力回路３は、該システムと、例えば無線周波数ＲＦリモートコントロールにより構成されるリモートコントロールアセンブリ３１との間のインタフェースをも形成する。
【００２３】
料金支払い装置３５も前記入力インタフェース回路３に接続されている。コイン、紙幣、トークン、磁気カードまたはスマートカードによるいかなる支払手段、あるいはこれらの支払い手段のいかなる組み合わせをも収集することができる他の装置も用いられる。
【００２４】
該システムは、与えられるフレームまたはラックに、カスタマイズ可能な外部装飾と共に適合するように設計される。
【００２５】
これらのエレメントから離れて、コードレスマイク５５が、該ジュークボックスを強力な公衆告知および情報システム、またはたぶんカラオケマシンに変換することのできる、サウンドコントローラ５に接続されている。同様に、コードレススピーカが、該システムによって、他の部屋へ楽曲を放送するために、使用されても良い。
【００２６】
管理者は、例えば、バーの後側からアクセスし且つ
・マイクのオン／オフスイッチ、
・スピーカのミュートコントロール、
・サウンドのボリュームコントロール、
・現在演奏されている音楽選択をキャンセルするためのコントロール
のような種々のコントロールを制御するために、リモートコントロールアセンブリ３１を用いることができる。
【００２７】
２つのバッファ５６、５７は、各々が交互に、サウンドの少なくとも約４分の１秒に対応する情報をメモリすることができるように、サウンド制御器回路５に連係されている。同様に、２つのバッファ６６、６７は、ビデオ制御器回路６に連係されており、各々が交互に、画像の少なくとも約１０分の１秒に対応する情報をメモリすることができるようになっている。また、１つのバッファ４６が通信制御器回路４に、他の１つ３６が入力インタフェース３に、そして他の１つ２６がメモリインタフェース２に、関連付けられている。
【００２８】
該システムにおけるオペレーティングソフトウェアは、マルチメディア領域におけるオーディオビジュアル分野のために特に設計されたツールおよびサービスのライブラリに基づいて生成される。このライブラリは、多重のコードフラグメントの同時実行を効果的に可能とする高パフォーマンスなマルチタスクオペレーティングシステムを含んでいると都合がよい。このオペレーティングソフトウェアは、並なのおよび整然とした実行を可能とし、それゆえ、ディスプレイ手段、オーディオ再生手段、および配信ネットワークを介しての遠隔通信ネットワークの管理において行なわれる動作間のいかなる衝突をも回避する。さらに、このソフトウェアは非常にフレキシブルである。
【００２９】
前記オペレーティングシステムは、メモリを確かめ且つジュークボックスの動作を可能とするために必要な最小数のオブジェクトが存在するかどうかを確かめる第１のメインプログラムモジュール７０「ＪＵＫ．ＥＸＥ」と、それに動的にリンクされ且つそれに従属する「ＪＵＫＥＣＯＲＥ．ＤＬＬ」モジュールからなる第２のモジュール７１とにそれ自体が再分割された第１のスタータモジュール７を含むモジュールに分割されている。この第２のモジュール７１の機能は、Ｃ言語ライブラリを収容し且つ前記メインタスクを実行させることである。
【００３０】
前記オペレーティングシステムの構成は、互いに動的リンクにより結合され、または該オペレーティングシステムの他の部分へのメインの従属リンクを与える実行可能なサブプログラムからなるソフトウェアモジュールへの種々のタスクの分配を有する。前記モジュールの各々は、複数の属性で記述された従属レベルによって組織化されたオブジェクトファイルまたは動的リンクライブラリからなっている。オブジェクトまたはライブラリの属性は、バージョン番号および以下においてＰＡＲＳＥＲ．ＤＪＬモジュールについて説明されているように、オブジェクトファイルまたはライブラリの他のオブジェクトファイルに対する従属性を指し示している。各属性は、モジュール対して割り当てられたレベルを指し示している。したがって、ＪＵＫ．ＥＸＥ７０モジュールは、ＪＵＫＥＣＯＲＥ．ＤＬＬ７１、ＴＬＳ．ＤＬＬ７２、ＣＲＤＥ．ＤＬＬ７３、ＧＦＸ．ＤＬＬ７４、ＷＤＬＬ．ＤＬＬ７５、ＪＥＥＰ．ＤＬＬ９およびＴＥＬＥＣＯＭ．ＤＬＬ１０モジュールよりも高いレベルにあるが、ＴＥＬＥＣＯＭ．ＤＬＬ１０モジュールは、ＪＥＥＰ．ＤＬＬモジュール９に従属しており（リンク９１０参照）、そしてそれはそれゆえＪＥＥＰ．ＤＬＬ９よりも低いレベルにある。
【００３１】
同様にして、ＪＥＥＰ．ＤＬＬ９のレベル（リンク７５９参照）は、ＷＤＬＬ．ＤＬＬモジュール７５よりも、前者は後者に従属しているので、低く、そしてＴＬＳ（リンク７２５）は、ＷＤＬＬ７５よりも高いレベルにある。他方では、ＴＬＳ．ＤＬＬおよびＧＦＸ．ＤＬＬモジュールは、同一レベルにある。メインタスクは、プログラムコア「ＣＲＤＥ．ＤＬＬ」であるモジュール７３を初期化しまたはロードし、グラフィック管理モジュール（ＧＦＸ．ＤＬＬ）７４を初期化またはロードし、ライブラリロードモジュール（ＷＤＬＬ．ＤＬＬ）７５を初期化またはロードし、遠隔通信タスクＴｅｌｅｃｏｍモジュール（ＤＬＬ）１０をロードし、ジュークボックス、遠隔通信、時間、復号等に必要な全ての使用法を含むＴＬＳ．ＤＬＬモジュール７２をロードし、インテグリティサーバを実行し且つ要求タスクおよびサーバについてのダイアログをロードし、そしてメインタスクとしてのＳＩＬＯＡＤ．ＤＬＬであるプログラムモジュール８０を開始させるＪＥＥＰ．ＤＬＬ（ジューク実行交換プロトコル）プログラムのライブラリを初期化またはロードすべく設計されたモジュール（ＪＵＫＥＣＯＲＥ．ＤＬＬ）を、有している。該メインジュークボックスアプリケーションタスクは、ライブラリロードモジュール（ＷＤＬＬ．ＤＬＬ）における所要の動的リンクライブラリバージョンを確かめ、それらをロードしあるいはファイル転送を実行するために遠隔通信タスクモジュールを呼び出すべく設計されたローダプログラムライブラリを含むモジュール（ＳＩＬＯＡＤ．ＤＬＬ）を有している。ＷＤＬＬ．ＤＬＬモジュールは、ＤＬＬ．ＤＥＦＡＵＬＴファイルにおける動作のために必要な最小バージョンのリストおよびＤＬＬ、ＤＪＬ接尾辞を有するライブラリにより、またはＤＪＯサフィックスを有するオブジェクトファイルにより表現される全てのファンクション、バージョンナンバおよび従属性のリストを有している。各オブジェクトまたはライブラリは、ライブラリまたはオブジェクトが必要とする全ての機能のリストを含んでいる。ＷＤＬＬ．ＤＬＬライブラリロードモジュールは、全ての新規なモジュールを管理し、相互従属性を制御し、そしてダウンロードされたモジュールが他のいかなる従属性をも持たず、必要なバージョンにてロードされたことをチェックする。ジュークボックスに特有なアプリケーション部分８は、ＳＩＬＯＡＤ．ＤＬＬモジュールによりロードされ且つ実行され、そしてディスプレイウィンドウを定義する次のような多数のモジュールを有する。
【００３２】
−マウス信号またはタッチスクリーン信号処理モジュール８１、ＭＯＵＳＥ．ＤＪＬと呼ばれる、
−オブジェクトと他の種々のモジュールとの間で交換されるメッセージの処理のためのモジュール８２、ＷＭＥＳＳＡＧＥ．ＤＪＬと呼ばれる、
−ディスクファイル管理モジュール８３、ＦＩＬ．ＤＪＬと呼ばれる、
−ディスクファイルリード−ライトモジュール８４、ＰＩＬＩＯ．ＤＪＬと呼ばれる、
−タッチスクリーン、サウンドカード、コイン収集機器処理インタフェースのように、機器により生成される全てのイベントの監視のためのモジュールＪＳＴＲＵＣＴ．ＤＪＬ８５。
【００３３】
ＳＩＬＯＡＤ．ＤＬＬモジュールは、端末タスクに特有のモジュール、すなわち全ての予め列挙したＤＪＬモジュール、およびジュークボックスライブラリモジュール８７のロードを管理する。ジュークボックスライブラリモジュール８７は、ミキサ、購入のようなオブジェクトを管理するＷＯＢＪＥＣＴ．ＤＪＬ８７０、カーソル移動を管理するＷＣＵＲＳＯＲ．ＤＪＬモジュール８７１、データベースを管理するＤＢＭＡＰＩ．ＤＪＬモジュール８７２、全てのフォントタイプを管理するＷＦＯＮＴＳ．ＤＪＬモジュール８７３、コンフィギュレーションファイルＷＩＮ．ＤＥＦを作成し且つ「ＧＲＡＭＭＡＲ．ＤＪＬ」モジュール８７６および該言語内における語彙的な単語機能割り当てモジュールである「ＬＥＸＹ．ＤＪＬ」モジュール８７５を用いて文法を確認するスクリプトから始まる画面を分析し且つ生成するＰＡＲＳＥＲ．ＤＪＬモジュール８７４（シンタックス解析プログラム）を用いて形成される。ＰＡＲＳＥＲ．ＤＪＬモジュール８７４は、そのファイルヘッダに次の情報を含んでいる。
【００３４】
−ｃｈａｒ＊ｐａｒｓｅｒ＿ｖｅｒｓｉｏｎ＿ｉｎｆｏ＝ＤＬＬ＿ＩＮＦＯ  ＤＪＬ；”
ＤＬＬ−ＮＡＭＥ  ＰＡＲＳＥＲ．ＤＪＬ；”  
“ＶＥＲＳＩＯＮ  １；”  
“ＣＲＥＡＴＯＲ  ＫＥＮＤＡＬＦ；”  
“ＲＥＱＵＩＲＩＥＳ  ｌｅｘｙｙ．ｄｊｌ；４；”  
“ＲＥＱＵＩＲＩＥＳ  ｇｒａｍｍａｒ−．ｄｊｌ；５”；  
全てのモジュールおよびライブラリ（ＤＪＯ、ＤＬＬ、ＤＪＬ）は、ＰＡＲＳＥＲ．ＤＪＬモジュールにおけるのと類似した情報を含んでおり、且つこの情報は、バージョンおよび従属性の必要性を決定する。
【００３５】
このようにして、前記ＰＡＲＳＥＲ．ＤＪＬモジュールは、ＬＥＸＹ．ＤＪＬのバージョン４およびＧＲＡＭＭＡＲのバージョン５モジュールを必要とし、そうでなければそれは、システムによって実行され得ない。図２における異なるモジュール間の２重矢印は、異なるファイルのロードの命令を示している。
【００３６】
それゆえ、上述からわかるように、最初のステップは、ＪＵＫＥ．ＥＸＥを、それに続いてＧＦＸ．ＤＬＬ、ＴＬＳ．ＤＬＬ、ＷＤＬＬ．ＤＬＬ、ＪＥＥＰ．ＤＬＬ、ＴＢＬＥＣＯＭ．ＤＬＬ、ＣＲＤＥ．ＤＬＬおよびＳＩＬＯＡＤ．ＤＬＬがＪＵＫＥＣＯＲＥ．ＤＬＬからロードできるように、ＪＵＫＥＣＯＲＥ．ＤＬＬをロードすることである。
【００３７】
１組のモジュール８８は、ジュークボックスタイプの端末モニタ上のウィンドウ表示のウィンドウを管理することが含まれるべきであるファイルのリストを含んでいる。このオブジェクトのリストは、
−モニタ上のメインページを定義する「ＷＰＳＣＲＥＥＮ．ＤＪＯ」オブジェクトファイル８８３、
−有効な画面の数判定するために用いられ且つそれによってこのメインページ上にいくつかのウィンドウまたは画面を表示する「ＷＳＣＲＥＥＮ．ＤＪＯ」オブジェクトファイル８８１、
−画面内に用いられる画像を決定し且つ定義する「ＷＩＭＡＧＥ．ＤＪＯ」オブジェクトファイル８８０、
−画像がアニメーション化されているときに該アニメーションを定義する「ＷＡＮＩＭ．ＤＪＯ」オブジェクトファイル８８２、
−特許出願ＰＣＴ第ＷＯ  ９６／１２２５８号において定義されるグラフィックインタフェースに用いられるコントロールボタンのように前記メインページ上で用いられるボタンを定義し且つ管理する「ＷＢＵＴＴＥＮ．ＤＪＯ」オブジェクトファイル８８５、
−オブジェクト上に書き込むために用いられるラベルを作成する「ＷＬＡＢＥＬ．ＤＪＯ」オブジェクトファイル８８４、および
−表示領域を垂直にスクロールすることを定義する「ＷＳＣＲＯＬＬＥＲ．ＤＪＯ」オブジェクトファイル８８６、
からなっている。
【００３８】
前記ＷＩＮ．ＤＥＦコンフィギュレーションファイルは、必要に応じて、上述した１個またはそれ以上の＊．ＤＪＯファイルを呼び出す。
【００３９】
「ＪＨＡＮＤＬＥＲ」ライブラリは、画面の固定された使用法を定義するために、そしてそれゆえ、どのインタフェースが前のモジュールによって定義された異なるオブジェクトへのリンクを提供するかを判定するために用いられる。
【００４０】
ライブラリモジュール「ＸＣＰ．ＤＪＬ」は、紙幣受領システム、あるいはコインまたはスマートカード支払い装置のように、支払いタスクを管理するために、そしてまた、ジュークボックス管理者のための秘密コードの記憶部のための集積回路であるＩＢＵＴＴＯＮに基本的情報を保存するために用いられ、そしてそれは例えば暗号化されたファイルまたは楽曲を復号するために用いられ得る。
【００４１】
ＪＳＴＲＵＣＴ．ＤＪＬモジュール８５は、「ディスクジョッキー」と呼ばれ、その機能は図３に関連して以下に説明されるんだが、楽曲選択の最後に対応するイベントが起きたときにモジュール８５１を走らせる。検出されたイベントに従って、同じＪＳＴＲＵＣＴ．ＤＪＬモジュールが、機能が以下において図４に関連して説明される要求処理モジュール８５２をスタートさせても良い。この同じ要求処理モジュール８５２も、端末６００およびインターネットネットワーク４００を介して該サーバに接続されたユーザ６０１に予め選択を注文することを可能とするために、ホストサーバ１００（図３）上にインストールされる。音楽アーティスト５０１も、所与の日の所与の時間にいくつかのジュークボックス上で実行させるプロモーションのための楽曲の特別の要求をなすべく、インターネットネットワーク３００を介して前記サーバ１００に接続された端末５００を用いることができる。最後に、１つまたはいくつかのジュークボックスが設置された室内のユーザ７０１は、ジュークボックス１０上において、彼自身の選択の事前注文または特定のイベントのための楽曲の選択または特定の要求をなし得る。楽曲選択要求は、楽曲待ちキュー８４０にロードされ、そして選択の事前注文または特定のイベント要求は、特定の要求およびこれらの特定の要求を処理するために必要な全ての情報を収容するファイル８４１にロードされる。サーバ１００は、これらの特定の要求を、該サーバが、１つまたはいくつかの要求が適用可能な特定のジュークボックスまたは特定のジュークボックスの組へ送信する時まで格納するファイル１４１も含む。この送信は、ネットワーク２００、例えば遠隔通信ネットワーク、を通してなされる。ディスクジョッキーモジュール５５１は、現在の時および日についてのいかなる特定の要求をも見つけるために、ジュークボックスファイル８４１内を見る第１のステップ８５１１を実行する。もしも、それが何かを見つければ、該ディスクジョッキーは、この要求をステップ８５１２において実行し、予め注文された選択および、もしもあれば、個別メッセージの再生を開始する。この動作の最後に、前記ディスクジョッキーは、ステップ８５１３において、事前に注文された何らかの曲があるか、またはファイル８４０内の待ち行列に格納された次の楽曲に移るかを確認すべくチェックする。ステップ８５１４において、ディスクジョッキーは、この楽曲の実行を開始する。ディスクジョッキーは、それから最初のステップ８５１１に戻ってループする。前記特別要求処理プログラムモジュール８５２は、図４に示すように、ステップ８５２１でジュークボックスまたはインターネットに接続された端末の前のユーザに、ステップ８５２０において彼が楽曲を選択したいかどうか、あるいは彼が特定の要求をしたいかどうかの、表示を生成する手段を備えている。もしも、彼が特定の要求をしたいならば、プログラムは、上述したステップ８５２２においてユーザがジュークボックスアドレスを定義し得る、あるいはサーバによりダウンロードされたリストにおけるこのアドレスを選択するウィンドウを表示するためにオブジェクトモジュールを用いる。ユーザは、そのように、彼がそれについてのアドレスを知っているジュークボックスか、または彼の事前注文における選択を提供することを彼が望む相手に最も近い彼がリストにおいて選択したジュークボックスを定義する。次のステップ８５２３において、プログラムは、該楽曲を送る者の名前をおよびそれを受信する相手の名前を、ユーザが入力するために使用し得る画面を表示する。ステップ８５２４において、該プログラムは、その選択が実行される日および時が定義され得るウィンドウを表示する。
【００４２】
この定義が一旦なされると、プログラムは、ステップ８５２５ａに進み、そこでは、ユーザは、彼が祝福することを望むイベントタイプを選択する。この場合、プログラムは、誕生日、結婚、婚約、等のようなイベントを定義するイベントのリスト８５２５ｂを表示する。ユーザは、タッチスクリーン上の動作により、あるいはキーボードまたはマウスを用いることにより、これらのイベントの１つにカーソルを移動させ、そしてこの選択を有効とする。一旦選択が有効とされると、プログラムは、次のステップ８５２６ａに進み、そこでは、ユーザに、彼がこの選択を予め記録された音声メッセージと共に贈るかどうかを尋ねるメッセージを表示する。もしも、そうであれば、該プログラムは、予め記録された音声メッセージの選択にユーザを案内するウィンドウを表示する。もしもそうでなければ、該プログラムは、次のステップ８５２６ｂに進み、そこでは、ユーザは、特定の音声記録を行なって、該記録をデータと共に格納して、事前注文についてのこの特定の要求のためのファイルを作成することができる。ステップ８５２７において、プログラムは、ユーザに、彼が新たな要求をしたいかどうか尋ねる画面を表示し、そしてもしもそうならば、最初のステップ８５２０に戻ってループし、そしてもしもそうでないならばステップ８５２８においてユーザに支払いをするかどうかを尋ねる。この支払いは、磁気クレジットカードまたはスマートカードによって既知の方法で、またはコインマシン、紙幣マシンまたはユーザの回線に請求される電話通信ユニットの番号および該請求の承認を表示することによることのような他のいかなる手段によってなされて良い。一旦、この支払いがなされ且つ承認されると、該プログラムは、ディスクジョッキー（ＤＪＳＲＬ）への特定の要求のリストを収容するファイル８４１への保存ステップに進む。このファイル８４１は、もしも選択および特定の要求が、バーにインストールされた同一のジュークボックス上でローカルになされたならば、ジュークボックス内か、またはもしも選択が他のジュークボックス上になされたならば、サーバ上のファイル１４１内かに配置される。ジュークボックス１０は、他の場所に設置された他のジュークボックスになされた特定の要求を検出し得て、そしてこの要求を、サーバが種々のジュークボックスに対する定期的なロードルーチンを実行したときに、各ジュークボックスに関する特定の要求をもダウンロードするようにして、ネットワーク２００を介してサーバ１００へ送信することにより、サーバ上のファイル１４１内に書き込むことができるプログラムも有する。これをするためには、サーバが、ネットワーク上のジュークボックスからこのタイプの特定の要求を受信したときに、要求に含まれたジュークボックスのアドレスを、それのデータベースに含まれるアドレスと比較し、そして該特定の要求がアドレスされるべきジュークボックスの同一性を判定することにより、この要求を検査する。この特定の要求は、定期的な更新がなされたときまたは定期的な通信の間に宛先ジュークボックスにルーティングされる。
【００４３】
明らかに、ジュークボックスとサーバまたはインターネット端末とサーバの間の通信については、情報は、圧縮され且つ機密性を可能とするためにエンコードされるのに対して、音声メッセージは、エンコードを要求する必要性はなく、プレーンテキストで記録されてもよいが、ジュークボックス上の必要な記憶領域を低減するための格納目的のために圧縮される。
【００４４】
このように、当該本発明によれば、選択方法は、メニュー８５２０、８５２１が表示され、特定の要求をするためにそれにおける選択がなされるステップと、他の機能、すなわち、
選択の事前注文がなされるためのイベント８５２５ａ、それから該イベントの選択を表示するステップと、
前記選択が再生されるべき目的機器の識別を表示し、それからこの機器の選択がなされるステップ８５２２と、
前記目的機器上で前記選択がなされるべき日時を表示するステップ８５２３と、
支払いが確認された後にのみ特定の要求ファイル上に記録しあるいはダウンロードするステップ８５２９と
を有する。
【００４５】
本発明の他の特徴によれば、それは、特定のメッセージを選択しまたは記録するステップ８５２６を含んでいる。
【００４６】
他の特徴によれば、本発明は、個人的なメッセージを記録することからなるメッセージを記録するためのステップ８５２６ｂを有している。
【００４７】
他の特徴によれば、本発明は、いくつかのメッセージのうちから１つを選定することからなるメッセージが選択されるステップ８５２６ａを有している。
【００４８】
他の特徴によれば、本発明は、全てのジュークボックスがインターネットに接続し且つサーバサイト１００を呼び出すステップを有している。
【００４９】
他の特徴によれば、前記表示ステップは、選択ステップに必要な前記選択ステップを表示するために、端末６００へインターネットメッセージを送信することによってなされ、これら選択または判定ステップは、ユーザにより、予め彼の選択を定義すべく、彼の端末上で実行される動作の関数として、端末６００からサーバ１００へ送られるメッセージによりなされる。
【００５０】
本発明は、メッセージおよび要求が、目的機器１０のアドレスと共にホストサーバ１００上のファイル１４１上に記録され、それからディスプレイ上で与えられた時期にそれにダウンロードされるステップを有している。
【００５１】
本発明は、機器１０上で現在の日および時が、事前要求の実行のために要求された日および時に対応するかどうかを判定するために、前記記録された要求を含む各機器１０上の特定のファイル８４１を検査するためのステップを有している。
【００５２】
同様に、ジュークボックス１０またはサーバ１００は、ユーザの身近な画面上に、特定の要求の選定において彼を案内すべく、情報を表示する手段と、
これらの要求を特定のファイル８４１、１４１に記録する手段と、
与えられた時および日に前記要求の実行をトリガすべく、またはこの要求のダウンロードをトリガすべく、前記機器上に記録された前記ファイル８４１、１４１を定期的に検査する手段と
を具備している。
【００５３】
本発明は、これらの要求を目的機器へ遠隔的に送信する手段を備えている。
【００５４】
本発明によれば、前記表示手段は、必要なときにジュークボックスコンフィギュレーションファイルにより呼び出される＊．ＤＪＯファイルに加えられるオブジェクトモジュールにより構成されている。
【００５５】
前記ファイル８４０、８４１は、ＦＩＬＯ．ＤＪＬモジュール内に保存され、そして動作に必要で且つこの方法に用いられるプログラム変更は、特許出願９８０９３５８号において定義されたダウンロード方法に従って、異なるモジュールにダウンロードされる。
【００５６】
該装置は、楽曲の待ちキューの実行のためのルールを定義しこれによりキューにおける先入れ先出し（ＦＩＦＯ）と、ランダムに最もポピュラーな楽曲を最初に選択することと、同一のアーチストによる連続する２番目の楽曲を排除することとのうちの１つの基準に従って、あるいは該ルールまたはその他のルールの組合せに基づいて、ディスクジョッキーの振る舞いを変更する手段をも備えている。
【００５７】
遠隔配信ネットワークは、第１にインターネットネットワークに接続され、そして第２に第２のネットワークを介して目的ジュークボックス上に各特定の要求をロードさせるために各々識別番号またはアドレスにより識別可能な１組のジュークボックスに対して接続されるホストサーバと、各ジュークボックス上での前記特定の要求を含むファイルを、ローカルな時間および日が選択された時間および日に対応するときに、それらに実行させるべく走査する手段とを具備している。
【００５８】
該分野に精通しているものにとっては、多くの異なる実施の形態が、特許請求されたような、この発明の骨組みの範囲内において可能であることは、明らかである。したがって、ここに説明された実施の形態は、例として考慮されるべきであり、添付された請求の範囲によって定義された視野内において変更され得ると共に、本発明は上述において記述された細部に制限され得ない。
【符号の説明】
【００５９】
１  システムユニット
２  マスメモリ制御回路
３  入力制御回路
４  遠隔通信制御回路
５  サウンド制御回路
６  ディスプレイ手段制御回路
１０  オーディオビジュアル再生システム
２１  マスメモリ手段
２６、３６、４６  バッファ
３１  リモートコントロールアセンブリ
３２  キーロック
３３  タッチスクリーン
３５  料金支払い装置
４１  高速遠隔通信モデムアダプタ
５３  アンプチューナ
５４  スピーカ
５５  コードレスマイク
５６、５７、６６、６７  メモリバッファ
６１  テレビジョンスクリーン
６２  ビデオモニタ
１００  サーバ
１４１、８４０、８４１  ファイル
２００  ネットワーク
３００、４００  インターネットネットワーク
５００、６００  端末
８５１  モジュール
８５２  要求処理モジュール
【図１】
2011065189.tif 000003
【図２】
2011065189.tif 000004
【図３】
2011065189.tif 000005
【図４】
2011065189.tif 000006
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
予め選択を注文する装置であって、ジュークボックス（１０）またはサーバ（１００）は、ユーザの身近な画面上に、特定の要求の選定においてユーザを案内すべく、情報を表示する手段と、
該要求を特定のファイル（８４１、１４１）に記録する手段と、
与えられた時および日に前記要求の実行をトリガすべく、または該要求のダウンロードをトリガすべく、前記機器上に記録された前記ファイル（８４１、１４１）を定期的に検査する手段と
を具備することを特徴とする予め選択を注文する装置。
【請求項２】
前記要求を目的機器へ遠隔的に送信する手段をも備え得ることを特徴とする請求項１に記載の予め選択を注文する装置。
【請求項３】
前記表示手段は、必要なときにジュークボックス上のＷＩＮ．ＤＥＦコンフィギュレーションファイルにより呼び出される＊．ＤＪＯファイルに加えられるオブジェクトモジュールにより構成されていることを特徴とする請求項１または２に記載の予め選択を注文する装置。
【請求項４】
前記ファイル（８４０、８４１）は、ＦＩＬＯ．ＤＪＬモジュール内に保存され、そして動作に必要で且つ当該方法に用いられるプログラム変更が、異なるモジュールにダウンロードされることを特徴とする請求項１に記載の予め選択を注文する装置。
【請求項５】
楽曲の待ちキューの実行のためのルールを定義しこれによりファイルにおける先入れ先出し（ＦＩＦＯ）と、ランダムに最もポピュラーな楽曲を最初に選択することと、同一のアーチストによる連続する２番目の楽曲を排除することとのうちの１つの基準に従って、あるいは当該ルールまたはその他のルールの組合せに基づいて、ディスクジョッキーの振る舞いを変更する手段をも備えることを特徴とする請求項１に記載の予め選択を注文する装置。
【請求項６】
遠隔配信ネットワークを形成するディジタルシステムであって、該遠隔配信ネットワークが、第１にインターネットネットワークに接続されそして第２に第２のネットワークを介して目的ジュークボックス上に各特定の要求をロードさせるように各々識別番号またはアドレスにより識別可能な１組のジュークボックスに対して接続されるホストサーバと、各ジュークボックス上での前記特定の要求を含むファイルをローカルな時間および日が選択された時間および日に対応するときに実行させるべく走査する手段とを具備することを特徴とするディジタルシステム。
【外国語明細書】
2011065189000001.pdf